(57)【要約】      （修正有）【課題】収納部付きのジャケットにおいて、収納作業を容易かつ迅速にする折りたたみ収納可能なジャケットを提供する。【解決手段】表地１０の背中部分上部に、ストレッチ性があり、滑りが優れた裏地２０を設ける。裏地２０の裏側に収納部裏部材２６を取付けて収納部２５を設ける。裏地２０は左右の左右半部２１からなり、その合わせ部２２に収納部２５の開口部を設け、ここから折りたたんだジャケットを収納部２５内へ収納する。この収納は、収納部２５の裏側へジャケットを折りたたみ、裏地２０の左右半部２１を合わせ部２２から左右へ伸ばし、裏側へ反転させることによりおこなわれる。このとき、裏地２０にストレッチ性があり、伸びがよく、かつ滑りがよいので、裏地２０の左右半部２１はそれぞれスムーズに反転する。メッシュ生地のように指先が絡むこともなくスムーズに収容作業ができる。【選択図】図２
0003208960.tif 000002
【実用新案登録請求の範囲】
【請求項１】
表地（１０）と裏地（２０）を表裏に重ねて縫製するとともに、裏地と表地の間に折りたたみ時の収納部（２５）を形成した折りたたみ収納可能な衣服において、
表地（１０）は、縦横それぞれに強撚糸を用い凹凸加工をしたストレッチ性のツーウエイ織物であり、
裏地（２０）は、少なくとも横方向にストレッチ性があり、かつ表面が滑らかな織物であり、
前記収納部（２５）は、裏地（２０）及び表地（１０）の間に配置される収納部裏部材（２６）の周囲を裏地（２０）へ縫合することにより形成された袋状をなし、収納部の開口部（２３）を裏地（２０）に形成したことを特徴とする折りたたみ収納可能なジャケット。
【請求項２】
請求項１において、前記裏地（２０）が背中の上部のみに設けられているアンコン構造であることを特徴とする折りたたみ収納可能なジャケット。
【請求項３】
請求項１又は２において、前記収納部裏部材（２６）がメッシュ生地であることを特徴とする折りたたみ収納可能なジャケット。
【請求項４】
請求項１〜３のいずれか１項において、表地（１０）が「ボンフォルト」（登録商標）であり、裏地（２０）が「カレーユ」（登録商標）である、ことを特徴とする折りたたみ収納可能なジャケット。
【考案の詳細な説明】
【技術分野】
【０００１】
折りたたみ収納可能な衣服、特に、折りたたみ収納できる紳士用のジャケットに関する。
【背景技術】
【０００２】
表地の裏に袋状の収納部を設け、ここへ折りたたみ収納可能にしたジャケットは公知であり、ジャケットの背中に収納部を設けたもの（特許文献１）がある。
このジャケットは、折りたたみやすいように比較的薄い表地を用い、収納部にはメッシュ生地を用いていた。
【先行技術文献】
【特許文献】
【０００３】
【特許文献１】実用新案登録第３０８８４９２号
【考案の概要】
【考案が解決しようとする課題】
【０００４】
従来の表地は、薄くするために比較的硬い生地を用いていた。しかし、このような生地を使用するとタタミジワがつきやすかった。したがって、折りたたみ状態を解いたとき、速やかにタタミジワが解消され、型くずれしないこと、すなわちタタミジワがつきにくく、かつ回復性の優れたものが求められている。
また、収納部はメッシュ生地を袋状にして表地の裏側に設けていた。しかしメッシュ生地で収納袋を形成すると、ジャケットなどを折りたたんで収納するときに、あまり伸びが無い反面、指先に力をいれて収納部へ押し込まなければならないので収納しづらかった。そのうえ折りたたんだ部分の角がメッシュにひっかかり易く、収納に手間取った。しかも、爪の長い女性等が収納作業をしようとすると、爪がメッシュにひっかかるので、一層、作業しづらくなった。したがって、スムーズに収納できる収納性に優れたものが求められている。
【課題を解決するための手段】
【０００５】
表地と裏地を表裏に重ねて縫製するとともに、裏地と表地の間に折りたたみ時の収納部を形成した折りたたみ収納可能なジャケットにおいて、
表地として、縦糸及び横糸それぞれに強撚糸を用い、凹凸加工をしたストレッチ性のツーウエイ織物を使用し、
裏地として少なくとも横方向にストレッチ性があり、かつ表面が滑らかな織物を使用するとともに、
前記収納部は、裏地及び表地の間に配置される収納部裏部材の周囲を裏地へ縫合することにより形成された袋状をなし、収納部の開口部を裏地に形成したことを特徴とする。
【考案の効果】
【０００６】
表地として縦横方向に伸縮するストレッチ性があり、凹凸加工をしたツーウエイ織物を使用したので、折りたたみやすく、かつ比較的薄地にしても、タタミジワがつきにくく、回復性の優れたものになる。
また、裏地として少なくとも横方向にストレッチ性があり、かつ表面が滑らかで滑りがよい織物を使用したので、折りたたみ時には、表地の伸縮性と協働して折りたたみやすくなり、しかも滑りがよいため、スムーズに滑って収納でき、収納性が良好になる。
そのうえ、裏地が伸縮性に富み、滑りがよいため、体になじんで動くことができ、表地の伸縮性と相まって、ジャケットの着用感が良くなる。
【図面の簡単な説明】
【０００７】
【図１】本願考案が適用されたジャケットの正面図
【図２】上記ジャケットの一部における裏側展開図
【図３】図２のＡ−Ａ線に沿う断面図
【図４】図２のＢ−Ｂ線に沿う断面図
【図５】上記ジャケットの収納手順を示す図
【考案を実施するための形態】
【０００８】
以下図面に基づいて本考案を紳士用ジャケット（上着）に適用した一実施形態を説明する。図１はジャケット５０の表側正面図を示す。図２は前身頃と後ろ身頃を一体にした状態におけるジャケットの一部分裏側を展開して示す。
【０００９】
図１において、ジャケット５０の表地１０は、左右の前身頃１１、左右の後ろ身頃１２、襟部１４及び左右の袖１５からなり、これらを縫合して一体化される。
表地１０は、縦糸及び横糸のそれぞれに強撚糸を用いて凹凸加工を施した織物であり、縦横両方向に伸縮するストレッチ性があり、しわがつきにくく、かつしわからの回復が早い生地を使用している。
【００１０】
このような表地の好適な一例として、東レ株式会社製「ボンフォルト」（登録商標）がある。この生地はポリエステル１００％のツーウエイ組織の織物であり、凹凸のある特殊風合い加工を施してあり、ふくらみと伸縮性があり、爽やかな手触りと独特なシャリ感がある。
【００１１】
また、適度な伸度を有し、凹凸加工されているため、しわがつきにくく、かつしわからの回復が早いので、本願のような折りたたみ収納する衣料に適している。
さらに、通気性があり、清涼であって、軽量であるため、夏物衣料に最適である。そのうえ変形しにくいためウォッシャブルでもある。
但し、本願の表地１０は、「ボンフォルト」に限らず、ツーウエイ織物であって、伸縮性と凹凸加工において同等なものであれば、他の生地も適用可能である。
【００１２】
図２において、表地１０の裏側には、部分的に裏地２０が重ねられて一体化されている。裏地２０は、左右の後ろ身頃１２の上部だけに設けられている。このように、裏地を極力省略した構造は、「アンコン」と称され、この構造を採用したジャケットは「アンコンジャケット」と称される。「アンコンジャケット」は、柔らかなシルエットを形成し、軽くて、動きやすく、通気性が有り、柔らかな着心地を得ることができ、夏物に適したものになる。
但し、本願のジャケット５０は、「アンコンジャケット」に限定したものではなく、総裏仕様や、この総裏から前身頃部分の裏地を省いた背抜き仕様のいずれもが適用可能である。
【００１３】
裏地２０は、少なくとも横糸に強撚加工をすることにより、横方向にストレッチ性を有するとともに、通気性と滑り性に優れている生地を用いる。但し、縦横方向にストレッチ性を与えてもよい。滑り性は、主として滑り摩擦の少ない断面形状（円形）の細い糸の織物とすることにより得られる。ここで、本考案における「優れた滑り」、「滑りが良い」もしくは「表面の滑らかさ」とは、一般に滑りの良い裏地として知られているキュプラの滑り及び滑らかさと同程度以上のことをいう。
【００１４】
このような、裏地の好適な一例として、東レ株式会社製「カレーユ」（登録商標）がある。この生地はポリエステル１００％のストレッチ織物であり、横糸の強撚加工により、横方向に１５％程度の優れたストレッチ性を有する。また、表面が平滑で優れた滑り性があり、通気性並びにドライ質感にも優れている。
したがって、この生地を用いると、着用快適性に優れ、汗によるべとつきを大きく軽減することができる。
【００１５】
但し、本願の裏地２０は、「カレーユ」に限らず、同等な性能（少なくとも横方向に１５％程度の横方向ストレッチ性と優れた滑り性）があれば、他の生地も適用可能であり、例えば、ストレッチ性を良好にすればキュプラ製の生地も適用可能性がある。また、横方向だけでなく、縦横方向にストレッチ性を付与したものでもよい。
【００１６】
このような裏地２０にすれば、優れた滑り性により、ジャケットをスムーズに着脱できるようになる。また着用時には、裏地２０の横方向に顕著なストレッチ性があり、伸びがよいため、体になじんで、その動きに追随するので、軽快な着用感を得ることができる。
特に、肩回りの動きが楽になり、快適な着心地が得られる。
【００１７】
また、「カレーユ」を用いれば、良好な通気性とドライ感により、清涼で蒸れにくくなる。そこで、「ボンフォルト」の表地と組み合わせにより得られるジャケット５０は、快適な着心地が得られ、軽量のために軽快な着用感があり、さらに通気性があって蒸れにくくなるので夏用に最適となる。そのうえ、ウォッシャブルのため扱いやすくなる。
【００１８】
裏地２０は、予め左右に分割された左右半部２１を、それぞれ後ろ身頃１２の各上部へ重ね、各上縁部及び左右方向外側縁部を表地１０側へ縫合一体化している。
各左右半部２１の下縁部は表地１０へ縫合されず、表地１０に対して裏地２０が主として左右方向へ自由に動けるようにフリーになっている。
【００１９】
各左右半部２１の左右方向中央側縁部は、上下に重なり合う合わせ部２２をなしている。上下の合わせ部２２は相互に縫合されず、相互間に後述する開口部２３（図４参照）が形成されている。
合わせ部２２の位置は背中のほぼ中央であり、背丈方向に沿って長く形成されている。また、表地１０の左右の後ろ身頃１２を背中の中央で縫合一体化した縫合部１３のほぼ延長上になっている。
【００２０】
裏地２０の裏側（表地１０側）には収納部２５が形成されている。収納部２５は裏地２０の左右方向及び上下方向でほぼ全体に重なる略長方形の袋状をなしている。
図３に示すように、収納部２５は略長方形の収納部裏部材２６を裏地２０の裏側に重ね、周囲を縫合することにより形成され、裏地２０と収納部裏部材２６との間に袋状の空間を形成し、この空間内へジャケット５０を折りたんで収納できるようになっている。
【００２１】
収納部２５は、裏地２０を構成部材の一部として、裏地２０と表地１０との間に形成されるが、裏地２０側へのみ固定され、表地１０側へは固定されていない。
なお、図３の収納部２５は空間を大きく誇張して示してある。実際は、収納部裏部材２６が裏地２０へほぼ密着する程度に重なっている（図４も同様）。
【００２２】
収納部裏部材２６は、メッシュ生地で構成され、良好な通気性を有している。収納部裏部材２６が十分な通気性を有するため、表地１０と裏地２０の間に配置しても、着用時の蒸れを防いで快適に着用することができる。この収納部裏部材２６は、図３中の拡大部Ａ（メッシュの編み目を拡大したもの）に示すように、編み目２７を有し、通気性と軽量化に貢献している。
【００２３】
なお、図示する編み目２７は簡略化して模式的に示したものであり、実際は編み方に種々の形状を有する。また、できるだけ細かいメッシュ（但し編み目２７の大きさは糸の太さ以上）で滑りが良いものが好ましい。また、裏地２０側の通気性が十分に確保できれば、収納部裏部材２６をメッシュ生地に代えて、裏地２０と同じ生地、又は別の裏地を用いることもできる。
【００２４】
裏地２０は、円形断面等の摩擦が小さい糸からなる織物であり、図３中のＢに織り目２８を拡大して示すように、織り目２８は糸の太さよりも小さくなっている。この点でメッシュと異なり、織り目２８が密になっているため優れた滑り性を形成している。なお、図３中のＢは、平織物を例示しているが織り方は任意であり、種々なものが可能である。
【００２５】
図４は合わせ部２２の断面を拡大してＡに示している。上下の各合わせ部２２の間に開閉式の開口部２３が形成され、この開口部２３を開くことにより、開口部２３から収納袋２５内へ折りたんだジャケット５０を収納したり、逆に、収納袋２５内に収納されているジャケット５０を外部へ引き出して広げることができる。
【００２６】
上下の合わせ部２２の対向する部分には面ファスナー２４が設けられている。面ファスナー２４は一方側を雄部材とし、他方側を雌部材としてある。これにより、双方の面ファスナーを係脱すれば、開口部２３を簡単に開閉できる。
なお、面ファスナー２４に代えて、ボタンやホックさらにはチャック等の他の係合手段にすることもできる。但し、面ファスナー２４にすれば、薄型にできるので、ジャケット５０の着用時に背中に対して異物感がほとんど無く、快適な着用を実現する。
【００２７】
次に、図５に基づいてジャケット５０の収納手順を説明する。まず、Ａに示すように、ジャケット５０を裏返し、前身頃１１を上にし、左右の部分を折り線ａに沿って両肩の中間部で内側へ折り込む。続いて、下側から１／３程度の部分を折り線ｂに沿って上方へ折り返し、図中の仮想線ｃに示す状態にする。
さらに、折り線ｄにて上へ折り返すと、背丈方向で略１／３の長さに折りたまれ、Ｂに示す状態になる。
【００２８】
この状態で全体を矢示ｅのように１８０度回転させて表裏反転させ、背中側を手前側にするとＣとなる。この状態では、背中の中央に合わせ部２２が存在する。
また、３つに折りたまれたジャケット５０は、図の裏側にて裏地２０と重なる状態になっている。
【００２９】
そこで、襟部１４部分を図の裏側へ折り込んでから、合わせ部２２が上側になっている左右半部２１、すなわち図に向かって右側の左右半部２１を矢示ｆのように、図の裏側へ折り返す。このとき、開口部２３から右側の左右半部２１の内側へ手を入れて、裏側の折りたまれた部分を開口部２３側へ引っ張り出してもよい。
【００３０】
この状態がＤであり、右側の左右半部２１は裏側へ回り込み、手前側には収納部裏部材２６が現れ、折りたまれている右半分の部分は、収納部裏部材２６と裏側へ回っている右側の左右半部２１の間に収納される。
【００３１】
このとき、裏地２０は横方向へ１５％程度の大きなストレッチ性がある「カレーユ」からなるので、左右方向への伸びが良く、横方向へ伸ばしながら容易に反転させることができる。しかも、滑りが良いので、この反転操作をさらに容易にすることができる。そのうえ、裏地２０がメッシュ生地でない比較的目が密になっている織物であるため、作業中に指先、特に爪がメッシュに引っかかるようなことがなく、スムーズな作業を可能にする。この指先の絡みを解消できることは、美容目的で爪を長く伸ばした女性にとって特に有効である。
【００３２】
続いて、向かって左側の左右半部２１を、合わせ部２２から矢示ｇのように、裏側へ反転させる。すると、左側の左右半部２１は裏側へ回り、手前側は全体が収納部裏部材２６となり、Ｅの状態となる。この状態では、折りたまれている部分全体が、収納部裏部材２６と裏地２０の間に収容された収納状態となる。
【００３３】
そこで、再び矢示ｅのように１８０度回転させて表裏反転させ、裏地２０側を手前側にするとＦとなる。このとき合わせ部２２が中央に出るので、ここで上下に重なる面ファスナー２４を係合させると、開口部２３が閉じられ、収納が完了する。このＦに示す収納状態はコンパクトであり、手軽に携帯可能になる。
【００３４】
また、収納状態のジャケット５０を使用するときには、開口部２３を開き、逆手順で折りたまれている部分を引き出して展開すればよい。
なお、ジャケット５０を収納状態から引き出して広げると、表地１０が伸縮性と凹凸加工により、タタミジワがつきにくく回復性の優れたものであるため、タタミジワの目立たない状態に回復する。
【００３５】
このように、本願は、折りたたみ収納可能なジャケット５０の表地１０として、縦横それぞれに強撚糸を用い凹凸加工をしたツーウエイ織物の布地を用い、裏地２０として、ストレッチ性があり、メッシュ生地よりも目が密になっておりかつ表面が平滑な織物の布地を用いるとともに、裏地２０の裏側へ収納部裏部材２６を重ね、その周囲を縫合することにより収納部２５を形成し、ここにジャケット５０を折りたたんで収納可能にした。
【００３６】
このため、ジャケット５０は折りたたんで収納しても、回復性に優れタタミジワがつきにくく、しかも、収納がスムーズかつ容易になるので、折りたたみ収納可能なジャケットとして好適な生地の組み合わせになる。
そのうえ、裏地２０をストレッチ性があり、滑りのよいものとすることにより、着脱がスムーズになるとともに、着用時には体になじんで動きやすくなる。このため、表地の伸縮性と相まって快適な装着感が得られる。
【００３７】
また、この表地１０と裏地２０の組み合わせにより、折りたたみ収納式のジャケット５０を作ることができる。ジャケット５０は、折りたんで収納することに適したものになり、コンパクトな収納状態にして携帯可能である。特に、一時的に短時間の使用となるため、非使用時はコンパクトにして携帯することが望ましいフォーマルウエアに好適である。
【００３８】
さらに、表地を「ボンフォルト」、裏地を「カレーユ」とすることにより、上記の諸効果に加えて、軽量で、通気性がよく、清涼感並びにドライ感があって快適な着心地が得られ、夏物衣服として好適なものになる。そのうえウォッシャブルになるので、取り扱いが容易になる。
【００３９】
しかも、収納部裏部材２６をメッシュ生地とすることにより、表地と裏地の間に別の部材である収納部裏部材２６を設けても、通気性がよいため、蒸れを防いで、快適に着用することができる。
【００４０】
また、ジャケット５０において、裏地２０を背中の上部に設けたので、裏地２０のストレッチ性と優れた滑りにより、肩回りの動きが軽快になり、快適な着心地になる。しかも、「アンコン」構造にすれば、独特の柔らかいシルエットを形成できるとともに、軽量で通気性に富んだ夏物に最適なジャケットにすることができる。
【００４１】
符号の説明
１０：表地、１１：前身頃、１２：後ろ身頃、２０：裏地、２２：合わせ部、２３：開口部、２５：収納部、２６：収納部裏部材、５０：ジャケット
【図１】
0003208960.tif 000003
【図２】
0003208960.tif 000004
【図３】
0003208960.tif 000005
【図４】
0003208960.tif 000006
【図５】
0003208960.tif 000007
【手続補正書】
【提出日】平成28年12月7日(2016.12.7)
【手続補正１】
【補正対象書類名】実用新案登録請求の範囲
【補正対象項目名】全文
【補正方法】変更
【補正の内容】
【実用新案登録請求の範囲】
【請求項１】
表地（１０）と裏地（２０）を表裏に重ねて縫製するとともに、裏地と表地の間に折りたたみ時の収納部（２５）を形成した折りたたみ収納可能な衣服において、
表地（１０）は、縦横それぞれに強撚糸を用い凹凸加工をしたストレッチ性のツーウエイ織物であり、
裏地（２０）は、少なくとも横方向にストレッチ性があり、かつ表面が滑らかな織物であり、
前記収納部（２５）は、裏地（２０）及び表地（１０）の間に配置される収納部裏部材（２６）の周囲を裏地（２０）へ縫合することにより形成された袋状をなし、収納部の開口部（２３）を裏地（２０）に形成したことを特徴とする折りたたみ収納可能なジャケット。
【請求項２】
請求項１において、前記裏地（２０）が背中の上部のみに設けられているアンコン構造であることを特徴とする折りたたみ収納可能なジャケット。
【請求項３】
請求項１又は２において、前記収納部裏部材（２６）がメッシュ生地であることを特徴とする折りたたみ収納可能なジャケット。